【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
血管医療デバイス回収のためのシステムであって、
伸長スリーブと、
前記スリーブ内で受容される伸長シャフトであって、前記シャフトは、可撓性遠位延在部を有し、前記延在部は、フラップおよびより近位の開口部を形成するように、遠位開口部において内向きに折り返される、シャフトと
を備え、
前記近位開口部は、前記医療デバイスの拡大端を受容し、それを通して通過させるように定寸され、
装置は、前記スリーブが前記遠位延在部を覆って前進させられるときに、前記医療デバイスの前記拡大端が前記遠位延在部内のポケットの中で固着されるように、適合され、
前記システムは、前記医療デバイスの前記拡大端を解放するために、内向きに位置付けられることから外向きに位置付けられることに前記フラップを逆転させるために適合される、システム。
【請求項２】
前記遠位延在部は、編組を備える、請求項１に記載のシステム。
【請求項３】
前記編組は、Ｎｉｔｉｎｏｌを含み、７２〜２８８エンド数を有し、軸方向繊維を組み込む、請求項２に記載のシステム。
【請求項４】
前記フラップの少なくとも内面は、インプラントの拡大端のフック状部分の侵入に対して前記編組を保護するようにコーティングされる、請求項２に記載のシステム。
【請求項５】
前記コーティングは、ウレタンを含む、請求項４に記載のシステム。
【請求項６】
前記スリーブは、カテーテルを備える、請求項１に記載のシステム。
【請求項７】
前記医療デバイスをさらに備える、請求項１に記載のシステム。
【請求項８】
前記拡大端は、フックを備える、請求項７に記載のシステム。
【請求項９】
前記フラップを逆転させるための適合は、前記シャフトの管腔内で受容されるプッシャである、請求項１に記載のシステム。
【請求項１０】
前記プッシャは、前記折り返された延在部に取り付けられるワイヤを備える、請求項９に記載のシステム。
【請求項１１】
前記プッシャは、スリーブと拡張可能遠位区分とを備えるプランジャを備える、請求項９に記載のシステム。
【請求項１２】
前記プランジャはさらに、前記スリーブ内で受容され、前記遠位区分を拡張するために遠位端において接続される、引張ワイヤを備える、請求項１１に記載のシステム。
【請求項１３】
前記拡張可能遠位区分は、編組を備える、請求項１２に記載のシステム。
【請求項１４】
医療システムであって、前記システムは、
埋込医療デバイスのフック状端を覆って前進させられるように構成されるファネルトラップ形状の回収デバイスと、
前記回収デバイス内において内向きに指向されたフラップであって、前記フラップは、前記埋込医療デバイスの前記フック状端を捕捉するように構成される、フラップと、
捕捉後に前記フック状端を解放するように、前記フラップを外転させる手段と
を備える、システム。
【請求項１５】
前記フラップを外転させる手段は、ワイヤを含み、前記ワイヤは、前記フラップに接続され、前記回収デバイスの管腔内で受容される、請求項１４に記載のシステム。
【請求項１６】
前記フラップを外転させる手段は、前記回収デバイスの管腔内で受容される拡張可能区分を含むプランジャを含む、請求項１４に記載のシステム。
【請求項１７】
前記拡張可能区分は、前記内向きに指向されたフラップを押し出すように拡張されるように構成される、請求項１６に記載のシステム。
【請求項１８】
前記プランジャは、前記ファネルトラップ形状のデバイスが患者の血管系の中にある間に、前記回収デバイスの前記管腔に挿入されるように構成される、請求項１６に記載のシステム。
【請求項１９】
前記フラップは、前記回収デバイスが引き下げられると、外転させられる、請求項１４に記載のシステム。
【手続補正２】
【補正対象書類名】明細書
【補正対象項目名】００１０
【補正方法】変更
【補正の内容】
【００１０】
本明細書に説明される主題の他のシステム、デバイス、方法、特徴、および利点は、以下の図および発明を実施するための形態を吟味することにより、当業者に明白であろう、または明白となるであろう。全てのそのような付加的システム、デバイス、方法、特徴、および利点は、本説明内に含まれ、本明細書に説明される本主題の範囲内であり、付随の請求項によって保護されることが意図される。例示的実施形態の特徴は、請求項内のこれらの特徴の明白な記載がない場合に、いかようにも添付の請求項を限定するものとして解釈されるべきではない。
本発明は、例えば、以下を提供する。
（項目１）
血管医療デバイス回収のためのシステムであって、
伸長スリーブと、
前記スリーブ内で受容される伸長シャフトであって、前記シャフトは、可撓性遠位延在部を有し、前記延在部は、フラップおよびより近位の開口部を形成するように、遠位開口部において内向きに折り返される、シャフトと、
を備え、
前記近位開口部は、前記医療デバイスの拡大端を受容し、それを通して通過させるように定寸され、
装置は、前記スリーブが遠位延在部を覆って前進させられるときに、前記医療デバイスの前記拡大端が前記遠位延在部内のポケットの中で固着されるように、適合され、
前記システムは、前記医療デバイスの前記拡大端を解放するために、内向きに位置付けられることから外向きに位置付けられることに前記フラップを逆転させるために適合される、
システム。
（項目２）
前記遠位延在部は、編組を備える、項目１に記載のシステム。
（項目３）
前記編組は、Ｎｉｔｉｎｏｌを含み、７２〜２８８エンド数を有し、軸方向繊維を組み込む、項目２に記載のシステム。
（項目４）
前記フラップの少なくとも内面は、インプラントの拡大端のフック状部分の侵入に対して前記編組を保護するようにコーティングされる、項目２に記載のシステム。
（項目５）
前記コーティングは、ウレタンを含む、項目４に記載のシステム。
（項目６）
前記スリーブは、カテーテルを備える、項目１に記載のシステム。
（項目７）
前記医療デバイスをさらに備える、項目１に記載のシステム。
（項目８）
前記拡大端は、フックを備える、項目７に記載のシステム。
（項目９）
前記フラップを逆転させるための適合は、前記シャフトの管腔内で受容されるプッシャである、項目１に記載のシステム。
（項目１０）
前記プッシャは、前記折り返された延在部に取り付けられるワイヤを備える、項目９に記載のシステム。
（項目１１）
前記プッシャは、スリーブと、拡張可能遠位区分とを備える、プランジャを備える、項目９に記載のシステム。
（項目１２）
前記プランジャはさらに、前記スリーブ内で受容され、前記遠位区分を拡張するために遠位端において接続される、引張ワイヤを備える、項目１１に記載のシステム。
（項目１３）
前記拡張可能遠位区分は、編組を備える、項目１２に記載のシステム。
（項目１４）
患者の血管系内で行われる医療方法であって、
埋込医療デバイスのフック状端を覆ってファネルトラップ形状の回収デバイスを前進させるステップと、
前記回収デバイスの内向きに指向されたフラップを用いて、前記医療デバイスの前記フック状端を捕捉するステップと、
捕捉後に前記フック状端を解放するように、前記フラップを外転させるステップと、
を含む、方法。
（項目１５）
前記外転させるステップは、前記フラップに接続され、前記回収デバイスの管腔内で受容されるワイヤを前進させることによるものである、項目１４に記載の方法。
（項目１６）
前記外転させるステップは、前記回収デバイスの前記管腔内で受容される拡張可能区分を含む、プランジャを前進させることによるものである、項目１４に記載の方法。
（項目１７）
前記拡張可能部材を拡張し、前記内向きに指向されたフラップを押し出すステップをさらに含む、項目１６に記載の方法。
（項目１８）
前記ファネルトラップ形状のデバイスが前記患者の前記血管系の中にある間に、前記プランジャを前記回収デバイスの前記管腔に挿入するステップをさらに含む、項目１６に記載の方法。
（項目１９）
前記患者の前記血管系の中への導入に先立って、前記回収デバイスに含まれる拡張可能部材を伴うプランジャを提供するステップをさらに含む、項目１４に記載の方法。
（項目２０）
前記外転させるステップは、前記回収デバイスを引き下げることによって達成される、項目１４に記載の方法。